(57)【要約】【課題】書斎や応接、事務室等の居室の雰囲気にマッチする装飾品とする。【解決手段】枠状部材２の内側に水平な棚板３を設けてミニチュア書棚１を形成し、前記棚板３上に載置可能な大きさの書籍のミニチュア模型１０をその棚板３上に多数固定してミニチュア装飾品を構成した。ミニチュア書棚１及び書籍のミニチュア模型１０は、そのミニチュア製作の際に原型（モデル）となった書棚及び書籍が、それぞれ本来、その居室内に存在するべきものであるので、そのミニチュア装飾品が、居室の雰囲気に一体的に溶け込んでマッチするようになる。また、他の手段としては、枠状部材１２の前面にその前面開口を覆う透明板１３を、後面に裏板１４を設けて額縁１１を形成し、前記透明板１３と前記裏板１４との間の空間内に収容可能な大きさの書籍のミニチュア模型１０をその空間内に多数固定して、その書籍のミニチュア模型１０を透明板１３を通して外部から視認可能としてもよい。【選択図】図１
0003121623.tif 000002
【実用新案登録請求の範囲】
【請求項１】
枠状部材２の内側に水平な棚板３を設けてミニチュア書棚１を形成し、前記棚板３上に載置可能な大きさの書籍のミニチュア模型１０をその棚板３上に多数固定したミニチュア装飾品。
【請求項２】
枠状部材１２の前面にその前面開口を覆う透明板１３を設けるとともに、前記枠状部材１２の後面にその後面開口を塞ぐ裏板１４を設けて額縁１１を形成し、前記透明板１３と前記裏板１４との間の空間内に収容可能な大きさの書籍のミニチュア模型１０をその空間内に多数固定して、その書籍のミニチュア模型１０を前記透明板１３を通して外部から視認可能としたミニチュア装飾品。
【請求項３】
請求項１又は２に記載のミニチュア装飾品において、すべての前記書籍のミニチュア模型１０の外観を、単一の出版社又は単一の作者による過去の出版物群を模して構成したことを特徴とするミニチュア装飾品。
【請求項４】
請求項１又は２に記載のミニチュア装飾品において、すべての前記書籍のミニチュア模型１０の外観を、単一のシリーズからなる単行本群、叢書、又は全集、若しくは単一の定期出版物のバックナンバー群を模して構成したことを特徴とするミニチュア装飾品。
【請求項５】
請求項２に記載のミニチュア装飾品において、前記書籍のミニチュア模型１０の外観は実物の書籍の表紙Ａを模したものであり、その原型となった実物の書籍の作者、又は前記実物の書籍に表現された主人公若しくは登場人物の人物模型２０を、前記書籍のミニチュア模型１０の傍らに配置したことを特徴とするミニチュア装飾品。
【請求項６】
請求項２又は５に記載のミニチュア装飾品において、前記書籍のミニチュア模型１０は、前記空間内に設けたミニチュア書棚１５上に固定され、そのミニチュア書棚１５の傍らにミニチュアデスク２１を配置して前記空間内を書斎に見立てたことを特徴とするミニチュア装飾品。
【請求項７】
前記書籍のミニチュア模型１０は、実物の書籍本文Ｂの所定範囲を厚さ方向に切断してミニチュア用書籍本文１０ｂを切り出すとともに、そのミニチュア用書籍本文１０ｂの表裏面及び背表紙面に、実物の書籍表紙Ａから取得した画像を縮小しその縮小画像を紙面上に焼き付けて形成したミニチュア用表紙１０ａ及び背表紙１０ｃを貼り付けたことを特徴とする請求項１乃至６のいずれかに記載のミニチュア装飾品。
【請求項８】
枠状部材２の内側に水平な棚板３を設けてミニチュア書棚１を形成し、前記棚板３上に載置可能な大きさの書籍のミニチュア模型１０をその棚板３上に多数固定するミニチュア装飾品を製作するためのミニチュア装飾品キットであって、
実物の書籍本文Ｂの所定範囲を厚さ方向に切断して切り出されたミニチュア用書籍本文１０ｂと、実物の書籍表紙Ａから取得した画像を縮小しその縮小画像を紙面上に焼き付けて形成されて前記ミニチュア用書籍本文１０ｂの表裏面及び背表紙面に貼り付け可能なミニチュア用表紙１０ａ及び背表紙１０ｃとを備え、そのミニチュア用書籍本文１０ｂとミニチュア用表紙１０ａ及び背表紙１０ｃとで前記書籍のミニチュア模型１０を製作可能とするとともに、その製作した後の書籍のミニチュア模型１０を載置可能な棚板３を有するミニチュア書棚１の完成品又はその完成品を組立可能な構成部品とを備えたことを特徴とするミニチュア装飾品キット。
【考案の詳細な説明】
【技術分野】
【０００１】
この考案は、一般家庭や事務所等の居室に配置される装飾品であって、その鑑賞者に立体感や臨場感をおこさせる鑑賞用の装飾品に関するものである。
【背景技術】
【０００２】
従来より、一般家庭や事務所等の居室に配置される鑑賞用の装飾品としては、壁面に掲げるものとしては、額縁に収納された写真や絵画、テーブルや台座上に載置するものとしては、彫刻、ガラス細工、焼き物等の置物が一般的である。
この種の装飾品は、例えば、写真や絵画は平面的であるため立体感に欠ける場合が多く、彫刻、ガラス細工、焼き物等の置物は臨場感に欠ける場合が多い。
【０００３】
なお、立体感をおこさせる絵画としては特許文献１にミニチュア・アート・フレームの技術が、また、立体感に加えて臨場感をおこさせる置物としては特許文献２にジオラマ玩具の技術が記載されている。
【特許文献１】実開平５−５５００号公報
【特許文献２】実用新案登録第３０９５３２３号公報
【考案の開示】
【考案が解決しようとする課題】
【０００４】
特許文献１に記載のミニチュア・アート・フレームは、風景画の前方にミニチュア立体物を配置することにより奥行き感を創出し、ある程度の立体感を表現している。また、特許文献２に記載のジオラマ玩具は、実物の居室空間を多数の家電製品とともに縮小して形成したミニチュア模型であるので、臨場感あふれるものとなっている。
【０００５】
しかし、いずれの装飾品の場合も、その絵画に描かれた風景、あるいは模型で表現された居室空間が、その絵画、置物（玩具）が配置される居室の雰囲気にマッチしない状況が起こり得る。例えば、書斎や応接、事務室等といった居室において、風景画で表現される景観は異質なもの（本来その居室内に存在しないもの）であり、また、家電製品を多数収容した居室そのものを縮小して形成したミニチュア模型も、書斎や応接、事務室等といった居室において、同様に異質なものである。
そこで、この考案は、特に、書斎や応接、事務室等の居室の雰囲気にマッチする装飾品とすることを課題とする。
【課題を解決するための手段】
【０００６】
上記の課題を解決するために、この考案は、枠状部材の内側に水平な棚板を設けてミニチュア書棚を形成し、前記棚板上に載置可能な大きさの書籍のミニチュア模型をその棚板上に多数固定したミニチュア装飾品としたものである。
ミニチュア書棚及び書籍のミニチュア模型は、そのミニチュア製作の際に原型（モデル）となった書棚及び書籍が、それぞれ本来、その居室内に存在するべきものであるので、そのミニチュア装飾品が、居室の雰囲気に一体的に溶け込んでマッチするようになる。もちろん、このミニチュア装飾品は、書斎や応接、事務室以外の居室においても、そのミニチュア書棚及び書籍のデザイン如何によっては、室内の雰囲気に充分マッチし得るものである。
【０００７】
また、他の手段としては、枠状部材の前面にその前面開口を覆う透明板を設けるとともに、前記枠状部材の後面にその後面開口を塞ぐ裏板を設けて額縁を形成し、前記透明板と前記裏板との間の空間内に収容可能な大きさの書籍のミニチュア模型をその空間内に多数固定して、その書籍のミニチュア模型を前記透明板を通して外部から視認可能としたミニチュア装飾品としたものである。
このように額縁の態様を採用した場合においても、そのミニチュア製作の際に原型（モデル）となった書籍は、前述の書棚の場合と同様、本来その居室に存在するべきものであるので、そのミニチュア装飾品が、居室の雰囲気に一体的に溶け込んでマッチするようになる。
【０００８】
なお、上記の各ミニチュア装飾品において、その装飾品に含まれるすべての前記書籍のミニチュア模型の外観を、単一の出版社又は単一の作者による過去の出版物群を模して構成すれば、その出版社又は作者の過去の作品の一覧を、視覚的に一目で把握できるので、居室内の装飾品としてより付加価値が高まるという利点がある。また、単一の出版社又は単一の作者による過去の出版物群が並べられていれば、外観上、より実物の書棚に近いものとなり、装飾品は、臨場感あふれるものとなる。
また、すべての前記書籍のミニチュア模型の外観を、単一のシリーズからなる単行本群、叢書、又は全集、若しくは単一の定期出版物のバックナンバー群を模して構成しても、同様の効果を発揮し得る。実物の書斎等に設けられる書棚においても、単一のシリーズからなる単行本群、叢書、又は全集、若しくは単一の定期出版物のバックナンバー群が、整然と並べて配置される場合が多いからである。
なお、書籍のミニチュア模型の外観を、単一の出版社又は単一の作者による過去の出版物群、あるいは単一のシリーズからなる単行本群、叢書、又は全集、若しくは単一の定期出版物のバックナンバー群を模して構成した上記各ミニチュア装飾品は、その出版社等の出版物の歴史を、ビジュアルに呈示する一種のディスプレイとしても活用することもできる。
【０００９】
さらに、額縁の態様を採用した上記ミニチュア装飾品において、書籍のミニチュア模型の外観を、実物の書籍の表紙を模したものとし、その原型（モデル）になった実物の書籍の作者、又は前記実物の書籍に表現された主人公若しくは登場人物の人物模型を、前記書籍のミニチュア模型の傍らに配置した構成を採用し得る。
実物の書籍の作者、又は前記実物の書籍に表現された主人公若しくは登場人物の人物模型は、いわば架空の世界を視覚的に創出するものであるから、それを装飾品として単独で配置しても、書斎や応接、事務室等の居室の雰囲気にマッチするものではないが、外観上、より実物に近いといえる書棚及び書籍と、架空の人物模型とが一体の空間内に収容されることにより、その書斎や応接、事務室等の居室の雰囲気にマッチする装飾品とすることができる。その人物模型としては、立体的な形状を有するものであってもよいし、平面的なものであってもよい。
なお、その書籍のミニチュア模型を、前記額縁の空間内に設けたミニチュア書棚上に固定し、そのミニチュア書棚の傍らにミニチュアデスクを配置して前記空間内を書斎に見立てた構成とすることもできる。
【００１０】
上記書籍のミニチュア模型としては、実物の書籍本文の所定範囲を厚さ方向に切断してミニチュア用書籍本文を切り出すとともに、そのミニチュア用書籍本文の表裏面及び背表紙面に、実物の書籍表紙から取得した画像を縮小しその縮小画像を紙面上に焼き付けて形成したミニチュア用表紙及び背表紙を貼り付けたものとすれば、より実態に近い書籍のミニチュア模型を容易に製作することができる。特に、ミニチュア用書籍本文の天（上面）と地（下面）、小口（側面）は、それぞれ、実物の書籍の外観に近いリアリティあふれる外観を呈することができる。
【００１１】
上記のミニチュア装飾品を、購入者が自身で組立てできるキットとして提供することもできる。具体的には、枠状部材の内側に水平な棚板を設けてミニチュア書棚を形成し、前記棚板上に載置可能な大きさの書籍のミニチュア模型をその棚板上に多数固定するミニチュア装飾品を製作するためのミニチュア装飾品キットであって、実物の書籍本文の所定範囲を厚さ方向に切断して切り出されたミニチュア用書籍本文と、実物の書籍表紙から取得した画像を縮小しその縮小画像を紙面上に焼き付けて形成されて前記ミニチュア用書籍本文の表裏面及び背表紙面に貼り付け可能なミニチュア用表紙及び背表紙とを備え、そのミニチュア用書籍本文とミニチュア用表紙とで前記書籍のミニチュア模型を製作可能とするとともに、その製作した後の書籍のミニチュア模型を載置可能な棚板を有するミニチュア書棚の完成品又はその完成品を組立可能な構成部品とを備えたことを特徴とするミニチュア装飾品キットである。
【考案の効果】
【００１２】
この考案は、以上のようにしたので、書斎や応接、事務室等の居室の雰囲気にマッチする装飾品とすることができる。
【考案を実施するための最良の形態】
【００１３】
（第一の実施形態）
この考案の第一の実施形態を、以下図面に基づいて説明する。
図１は、後面開口を裏板４で塞いだ枠状部材２の内側に水平な棚板３を設けてミニチュア書棚１を形成し、前記棚板３上に載置可能な大きさの書籍のミニチュア模型１０（図４参照）をその棚板３上に多数固定している。また、書籍ではない他の物品（例えば、花瓶や置物）で構成されるミニチュア立体物１０’を配置してもよい。
【００１４】
すべての書籍のミニチュア模型１０の外観は、単一の出版社又は単一の作者による過去の出版物群を模して構成してもよいし、単一のシリーズからなる単行本群、叢書、又は全集、若しくは単一の定期出版物のバックナンバー群を模して構成してもよい。また、本実施形態のように、分野の異なる書籍を混在させてもよい。
【００１５】
この書籍のミニチュア模型１０を製作する際には、図５に示すように、実物の書籍本文Ｂの所定範囲を厚さ方向に切断してミニチュア用書籍本文１０ｂを切り出すとともに、そのミニチュア用書籍本文１０ｂの表裏面及び背表紙面に、実物の書籍表紙Ａから取得した画像を縮小しその縮小画像を紙面上に焼き付けて形成したミニチュア用表紙１０ａ及び背表紙１０ｃを貼り付けると、より実態に近い書籍のミニチュア模型を容易に製作することができる。特に、ミニチュア用書籍本文１０ｂの天（上面）と地（下面）、小口（側面）は、それぞれ、実物の書籍の外観に近いリアリティあふれる外観を呈することができる。
【００１６】
（第二の実施形態）
図２は、異なる形態の枠状部材２、棚板３を有するミニチュア書棚１を用いた態様である。その詳細は、第一の実施形態と同様である。
【００１７】
（第三の実施形態）
第三の実施形態を図３に示す。この実施形態は、枠状部材１２の前面にその前面開口を覆う透明板１３を設けるとともに、前記枠状部材１２の後面にその後面開口を塞ぐ裏板１４を設けて額縁１１を形成し、前記透明板１３と前記裏板１４との間の空間内に収容可能な大きさの書籍のミニチュア模型１０をその空間内に多数固定して、その書籍のミニチュア模型１０を前記透明板１３を通して外部から視認可能としたミニチュア装飾品である。
【００１８】
書籍のミニチュア模型１０は、前記空間内に設けたミニチュア書棚１５上に固定され、そのミニチュア書棚１５の傍らにミニチュアデスク２１、掲示物（額縁）２２、照明２３を配置して前記空間内を書斎に見立てたものである。
【００１９】
この実施形態において、前記空間内に収容される書籍のミニチュア模型１０の外観は、単一の作者による実物の書籍群の表紙Ａを模したものであり、その原型となった実物の書籍の作者の人物模型２０を、前記書籍のミニチュア模型１０の傍らに配置している。この人物模型２０は、例えば、前記実物の書籍に表現された主人公若しくは登場人物としてもよい。
【００２０】
なお、この第三の実施形態において、人物模型２０、ミニチュアデスク２１、掲示物（額縁）２２、照明２３、書棚１５等のインテリアを構成する各アイテムを配置するか否かは自由であり、デザイン上不要であれば省略してもよい。
【図面の簡単な説明】
【００２１】
【図１】第一の実施形態の斜視図
【図２】第二の実施形態の斜視図
【図３】第三の実施形態の斜視図
【図４】書籍のミニチュア模型の詳細図
【図５】書籍のミニチュア模型の構成を示す説明図
【符号の説明】
【００２２】
１，１５  ミニチュア書棚
２，１２  枠状部材
３  棚板
４，１４  裏板
１０  書籍のミニチュア模型
１０’  他のミニチュア立体物
１０ａ  表紙
１０ｂ  書籍本文
１０ｃ  背表紙
１１  額縁
１３  透明板
２０  人物模型
２１  デスク
２２  掲示物
２３  照明
Ａ  表紙
Ｂ  書籍本文
Ｃ  背表紙
【図１】
0003121623.tif 000003
【図２】
0003121623.tif 000004
【図３】
0003121623.tif 000005
【図４】
0003121623.tif 000006
【図５】
0003121623.tif 000007
【手続補正書】
【提出日】平成18年3月10日(2006.3.10)
【手続補正１】
【補正対象書類名】実用新案登録請求の範囲
【補正対象項目名】全文
【補正方法】変更
【補正の内容】
【実用新案登録請求の範囲】
【請求項１】
枠状部材の内側に水平な棚板３を設けてミニチュア書棚１を形成し、前記棚板３上に載置可能な大きさの書籍のミニチュア模型１０をその棚板３上に多数固定したミニチュア装飾品。
【請求項２】
前記枠状部材１２の前面にその前面開口を覆う透明板１３を設けるとともに、前記枠状部材１２の後面にその後面開口を塞ぐ裏板１４を設けて額縁１１を形成し、前記透明板１３と前記裏板１４との間の空間内に収容可能な大きさの書籍のミニチュア模型１０をその空間内に多数固定して、その書籍のミニチュア模型１０を前記透明板１３を通して外部から視認可能としたことを特徴とする請求項１に記載のミニチュア装飾品。
【請求項３】
請求項１又は２に記載のミニチュア装飾品において、すべての前記書籍のミニチュア模型１０の外観を、単一の出版社又は単一の作者による過去の出版物群を模して構成したことを特徴とするミニチュア装飾品。
【請求項４】
請求項１又は２に記載のミニチュア装飾品において、すべての前記書籍のミニチュア模型１０の外観を、単一のシリーズからなる単行本群、叢書、又は全集、若しくは単一の定期出版物のバックナンバー群を模して構成したことを特徴とするミニチュア装飾品。
【請求項５】
請求項２に記載のミニチュア装飾品において、前記書籍のミニチュア模型１０の外観は実物の書籍の表紙Ａを模したものであり、その原型となった実物の書籍の作者、又は前記実物の書籍に表現された主人公若しくは登場人物の人物模型２０を、前記書籍のミニチュア模型１０の傍らに配置したことを特徴とするミニチュア装飾品。
【請求項６】
請求項２又は５に記載のミニチュア装飾品において、前記書籍のミニチュア模型１０は、前記空間内に設けたミニチュア書棚１５上に固定され、そのミニチュア書棚１５の傍らにミニチュアデスク２１を配置して前記空間内を書斎に見立てたことを特徴とするミニチュア装飾品。
【請求項７】
前記書籍のミニチュア模型１０は、実物の書籍本文Ｂの所定範囲を厚さ方向に切断してミニチュア用書籍本文１０ｂを切り出すとともに、そのミニチュア用書籍本文１０ｂの表裏面及び背表紙面に、実物の書籍表紙Ａから取得した画像を縮小しその縮小画像を紙面上に焼き付けて形成したミニチュア用表紙１０ａ及び背表紙１０ｃを貼り付けたことを特徴とする請求項１乃至６のいずれかに記載のミニチュア装飾品。
【請求項８】
枠状部材２の内側に水平な棚板３を設けてミニチュア書棚１を形成し、前記棚板３上に載置可能な大きさの書籍のミニチュア模型１０をその棚板３上に多数固定するミニチュア装飾品を製作するためのミニチュア装飾品キットであって、
実物の書籍本文Ｂの所定範囲を厚さ方向に切断して切り出されたミニチュア用書籍本文１０ｂと、実物の書籍表紙Ａから取得した画像を縮小しその縮小画像を紙面上に焼き付けて形成されて前記ミニチュア用書籍本文１０ｂの表裏面及び背表紙面に貼り付け可能なミニチュア用表紙１０ａ及び背表紙１０ｃとを備え、そのミニチュア用書籍本文１０ｂとミニチュア用表紙１０ａ及び背表紙１０ｃとで前記書籍のミニチュア模型１０を製作可能とするとともに、その製作した後の書籍のミニチュア模型１０を載置可能な棚板３を有するミニチュア書棚１の完成品又はその完成品を組立可能な構成部品とを備えたことを特徴とするミニチュア装飾品キット。